(57)【要約】【課題】本発明は、一般の移動通信端末のユーザであっても、容易に移動通信端末のデータ移送の操作を行うことができ、移送を行うデータが流出し難い移動通信端末のデータ移送方法を提供することを課題とする。【解決手段】本発明に係るデータ移送方法は、データ移送装置の移送先接続端子１３０を、前記移動通信端末３００の外部メモリ用の収容部３１０に収容装着し、該移送先接続端子１３０が接続された移動通信端末３００において外部メモリからのデータ読み込み作業を行うことで、前記データ移送装置の記憶部２００に記憶された移動通信端末データを該移動通信端末３００に移送し、前記移送先接続端子１３０を前記収容部３１０から離脱した後、前記記憶部２００に記憶されている移動通信端末データを消去することを特徴とする。【選択図】  図１
2007228068.tif 000002
【特許請求の範囲】
【請求項１】
着脱可能に外部メモリを収容可能な収容部を有する移動通信端末に対して、アドレス帳データ等の移動通信端末データを移送するための移動通信端末のデータ移送装置であって、
前記移動通信端末の収容部に収容装着可能な移送先の接続端子と、前記移動通信端末データを記憶・消去可能な記憶部とを備え、
前記記憶部は、該記憶部に記憶された前記移動通信端末データを、前記移送先の接続端子が接続された移動通信端末の操作に応じて、該移動通信端末データに移送できるように設けられているとともに、
該移動通信端末から前記移送先の接続端子が離脱された後、前記記憶部に記憶されている移動通信端末データを消去するように設けられていることを特徴とするデータ移送装置。
【請求項２】
請求項１記載のデータ移送装置であって、
移動通信端末の収容部に収容装着可能な移送元の接続端子を備え、
前記移送元の接続端子が接続された移動通信端末の操作に応じて、前記記憶部は、該移動通信端末データが記憶できるように設けられていることを特徴とするデータ移送装置。
【請求項３】
請求項２記載のデータ移送装置であって、
前記移送元の接続端子と前記移送先の接続端子とが、それぞれ同一の接続端子から構成されていることを特徴とするデータ移送装置。
【請求項４】
請求項２記載のデータ移送装置であって、
前記移送元の接続端子と前記移送先の接続端子とは、それぞれ別体により構成されているとともに、切替手段を介して前記記憶部に接続されるように設けられていることを特徴とするデータ移送装置。
【請求項５】
請求項１乃至４の何れかに記載のデータ移送装置であって、
前記記憶部は、処理手段によって、前記移送先の接続端子が離脱された後の移動通信端末データの消去がなされるように設けられており、
前記処理手段と前記記憶部との接続状態、および、前記接続端子と前記記憶部との接続状態を、それぞれ切り替える切替手段を備えていることを特徴とするデータ移送装置。
【請求項６】
請求項５記載のデータ移送装置であって、
前記接続端子が移動通信端末の収容部に接続または離脱されたことを認識する着脱認識手段を備えており、
該着脱認識手段における認識に基づいて、前記切替手段は、前記接続状態を変更するように設けられていることを特徴とするデータ移送装置。
【請求項７】
請求項５または６記載のデータ移送装置であって、
前記処理手段がデータ移送装置本体に内蔵されていることを特徴とするデータ移送装置。
【請求項８】
請求項７記載のデータ移送装置であって、
前記処理手段は、前記記憶部に記憶された移動通信端末データを、他の移動通信端末の機種で読み取り可能な移動通信端末データに変更して、この変更した移動通信端末データを前記記憶部に記憶させる処理を行うように設けられていることを特徴とするデータ移送装置。
【請求項９】
請求項５または６記載のデータ移送装置であって、
前記処理手段を有する外部端末に接続可能な外部端末接続部を有しており、
前記切替手段は、前記外部端末接続部と前記記憶部との接続状態、および、前記接続端子と前記記憶部との接続状態を、それぞれ切り替えるように設けられていることを特徴とするデータ移送装置。
【請求項１０】
請求項１乃至９の何れかに記載のデータ移送装置であって、
前記記憶部は、データ移送装置本体に着脱可能に装着された外部メモリから構成されており、
該データ移送装置本体は、前記外部メモリを収容装着可能な収容部が設けられていることを特徴とするデータ移送装置。
【請求項１１】
請求項１乃至１０の何れかに記載のデータ移送装置であって、
前記データ移送装置本体には、操作者が押圧等の操作可能なリセット手段が設けられており、該リセット手段が操作されると、前記処理手段は、記憶部のデータを消去するように設けられていることを特徴とするデータ移送装置。
【請求項１２】
請求項１乃至１１の何れかに記載のデータ移送装置であって、
前記データ移送装置本体には、該移送装置本体の電源をオフにするための終了手段が設けられており、該終了手段によってデータ移送装置本体の終了処理がなされる際に、前記処理手段は、記憶部のデータを消去するように設けられていることを特徴とするデータ移送装置。
【請求項１３】
請求項１乃至１２の何れかに記載のデータ移送装置であって、
前記処理手段は、一定期間経過ごとに、前記記憶部のデータを消去するように設けられていることを特徴とするデータ移送装置。
【請求項１４】
着脱可能に外部メモリを収容可能な収容部を有する移動通信端末に対して、アドレス帳データ等の移動通信端末データを、データ移送装置によって移送する移動通信端末のデータ移送方法であって、
前記データ移送装置の移送先の接続端子を、前記移動通信端末の収容部に収容装着して、
該移送先接続端子が接続された移動通信端末において外部メモリからのデータ読み込み作業を行うことにより、前記データ移送装置の記憶部に記憶された移動通信端末データを、該移動通信端末に移送し、
前記移送先接続端子を前記移動通信端末の収容部から離脱した後、前記データ移送装置の記憶部に記憶されている移動通信端末データを消去することを特徴とするデータ移送方法。
【請求項１５】
請求項１４記載のデータ移送方法であって、
前記データ移送装置の移送元接続端子を、前記移動通信端末の収容部に収容装着して、
該移送元の接続端子が接続された移動通信端末において外部メモリへのデータ書き込み作業を行うことにより、前記データ移送装置の記憶部に、前記移動通信端末の移動通信端末データを記憶させることを特徴とするデータ移送方法。
【請求項１６】
請求項１５記載のデータ移送方法であって、
前記移送元の接続端子と前記移送先の接続端子とが、それぞれ同一の接続端子から構成されていることを特徴とするデータ移送方法。
【請求項１７】
請求項１５記載のデータ移送方法であって、
前記移送元の接続端子と前記移送先の接続端子とが、それぞれ別体により構成されており、
前記データ移送装置によって移動通信端末から前記記憶部への移動通信端末データの書き込みを行う際には、前記データ移送装置の切替手段によって前記移送元の接続端子と前記記憶部との接続状態とし、
前記データ移送装置によって記憶部から移動通信端末への移動通信端末データを移送する際には、前記切替手段によって前記移送先の接続端子と前記記憶部との接続状態とすることを特徴とするデータ移送方法。
【請求項１８】
請求項１４乃至１７の何れかに記載のデータ移送方法であって、
前記移送先の接続端子が離脱された後の移動通信端末データの消去が処理手段によってなされる際に、
前記処理手段と前記記憶部との接続状態、および、前記接続端子と前記記憶部との接続状態を、それぞれ切り替える前記データ移送装置の切替手段によって、前記処理手段と前記記憶部との接続状態とすることを特徴とするデータ移送方法。
【請求項１９】
請求項１８記載のデータ移送方法であって、
前記データ移送装置は、接続端子が移動通信端末の収容部に接続または離脱されたことを認識する着脱認識手段を備えており、
前記接続端子が移動通信端末の収容部に収容装着されたことを前記着脱認識手段において認識した際には、前記切替手段が、前記接続端子と前記記憶部との接続状態とし、
前記接続端子が移動通信端末の収容部から離脱されたことを前記着脱認識手段において認識した際には、前記切替手段が、前記処理手段と前記記憶部との接続状態とすることを特徴とするデータ移送方法。
【請求項２０】
請求項１８または１９記載のデータ移送方法であって、
前記処理手段がデータ移送装置本体に内蔵されていることを特徴とするデータ移送方法。
【請求項２１】
請求項２０記載のデータ移送方法であって、
前記記憶部に移動通信端末データが記憶された後に、該移動通信端末データを、前記処理手段が、他の移動通信端末の機種で読み取り可能な移動通信端末データに変更して、この変更した移動通信端末データを前記記憶部に記憶させる処理を行うことを特徴とするデータ移送方法。
【請求項２２】
請求項１８または１９記載のデータ移送方法であって、
前記データ移送装置は、処理手段を有する外部端末に接続可能な外部端末接続部を有しており、
前記切替手段は、前記移送先の接続端子が離脱された後の移動通信端末データの消去が処理手段によってなされる際に、前記外部端末接続部と前記記憶部との接続状態とすることを特徴とするデータ移送方法。
【請求項２３】
請求項１４乃至２２の何れかに記載のデータ移送方法であって、
前記データ移送装置は、外部メモリを収容装着可能な収容部を有しており、
前記記憶部が、該収容部に装着された外部メモリから構成されていることを特徴とするデータ移送方法。
【請求項２４】
請求項１４乃至２３の何れかに記載のデータ移送方法であって、
前記データ移送装置本体に設けられたリセット手段を操作者が押圧等の操作を行った際に、前記処理手段が、前記記憶部のデータを消去することを特徴とするデータ移送方法。
【請求項２５】
請求項１４乃至２４の何れかに記載のデータ移送方法であって、
前記データ移送装置本体に設けられた終了手段を操作者が操作すると、前記処理手段は、記憶部のデータを消去し、その後、該データ移送装置本体の電源をオフにすることを特徴とするデータ移送方法。
【請求項２６】
請求項１４乃至２５の何れかに記載のデータ移送方法であって、
前記処理手段は、一定期間経過ごとに、前記記憶部のデータを消去することを特徴とするデータ移送方法。
【発明の詳細な説明】
【技術分野】
【０００１】
本願発明は、たとえば携帯電話端末などの移動通信端末のデータ移送装置、および、そのデータ移送方法に関するものである。
【背景技術】
【０００２】
従来から、携帯電話端末の機種変更の場合に、それまで使用していた携帯電話端末に記憶されているアドレス帳データ、画像データ等の種々の移動通信端末データを、データ移送装置によって、新しく購入した携帯電話端末にデータ移送することがなされている。
【０００３】
このデータ移送装置は、専用のプログラムが記憶されたコンピュータから構成されており、該コンピュータには、携帯電話端末のデータ転送等に用いられるインターフェース部に接続可能な複数の接続端子が接続されている。そして、前記機種変更に際しては、古い携帯電話端末のインターフェース部に一の接続端子を、また、新しい携帯電話端末のインターフェース部に他の接続端子を、それぞれ接続して、前記コンピュータによって、古い携帯電話端末からデータを抽出して、新しい携帯電話端末に書き込む作業がなされている。そして、かかるデータ移送装置によるデータ移送が完了した場合には、該データ移送装置によって、古い携帯電話端末のデータを消去する作業がなされている。
【０００４】
しかるに、かかるデータ移送作業は、一般的には携帯電話端末販売店において行われるものであり、一定の操作方法の知識を有する者（販売店店員）が前記移送装置を操作する必要があり、一般の携帯電話端末のユーザが行うことができないという問題を有している。また、前記インターフェース部におけるデータ通信速度が遅いため、移送すべきデータ量が多い場合には、前記データ移送作業が長期間かかるという問題を有していた。
【０００５】
また、上記データ移送装置としては、たとえば特許文献１所載のものが公知である。この特許文献１には、以下のデータ移送方法が開示されている。
【０００６】
まず、古い携帯電話端末のインターフェース部にデータ移送装置の接続端子を接続して、データ移送装置を操作することにより、前記古い携帯電話端末からデータを、データ移送装置の本体に取り込む。そして、前記接続端子を離脱させた後、該接続端子を新しい携帯電話端末に接続し、データ移送装置を操作することにより、前記新しい携帯電話端末に、データ移送装置に取り込んだ前記データを送出する。これによって、古い携帯電話端末から新しい携帯電話端末にデータを移送するものであった。
【０００７】
しかるに、かかる移送方法では、データ移送装置の操作が必要であり、前述のように一般のユーザが行うことができないという問題を有しているとともに、前記ユーザのデータが前記データ移送装置に記憶されており、これが正確に消去されない場合には個人情報が流出するおそれが存在した。
【０００８】
また、前記特許文献１には、外部メモリであるフラッシュメモリを収容可能な収容部を有する携帯電話端末にデータを移送する方法も開示されている。
【０００９】
かかる方法は、古い携帯電話端末に外部メモリを収容し、この外部メモリに古い携帯電話端末のデータを書き込み、その後、該外部メモリを取り出し、この外部メモリを新しい携帯電話端末の収容部に収容して、該外部メモリから新しい携帯電話端末にデータを移送する方法である。
【００１０】
かかる方法であれば、携帯電話端末の操作のみでデータ移送が行いうるので、一般のユーザであっても操作することができるものであるが、該外部メモリのデータが確実に消去されない場合には個人情報の流出するおそれが残存する。つまり、携帯電話端末販売店において、上記作業を行うために、一般のユーザに外部メモリを貸し出し、上記データ移送作業を行った場合には、前記作業を終了後にユーザから回収した外部メモリにデータが残存していないかを確実に確認しない限りは、個人情報の流出のおそれが残存する。
【特許文献１】特開２００２−９９６２号公報
【発明の開示】
【発明が解決しようとする課題】
【００１１】
そこで、本発明は、上記問題に鑑みてなされたものであり、一般の移動通信端末のユーザであっても、容易に操作することができるとともに、移動通信端末のデータが他に流出し難い移動通信端末のデータ移送装置およびそのデータ移送方法を提供することを課題とする。
【課題を解決するための手段】
【００１２】
本発明は、上記課題を解決すべくなされたものであり、本発明に係るデータ移送装置は、着脱可能に外部メモリを収容可能な収容部を有する移動通信端末に対して、アドレス帳データ等の移動通信端末データを移送するための移動通信端末のデータ移送装置であって、前記移動通信端末の収容部に収容装着可能な移送先の接続端子と、前記移動通信端末データを記憶・消去可能な記憶部とを備え、前記記憶部は、該記憶部に記憶された前記移動通信端末データを、前記移送先の接続端子が接続された移動通信端末の操作に応じて、該移動通信端末データに移送できるように設けられているとともに、該移動通信端末から前記移送先の接続端子が離脱された後、前記記憶部に記憶されている移動通信端末データを消去するように設けられていることを特徴とする。
【００１３】
また、本発明に係るデータ移送方法は、着脱可能に外部メモリを収容可能な収容部を有する移動通信端末に対して、アドレス帳データ等の移動通信端末データを、データ移送装置によって移送する移動通信端末のデータ移送方法であって、前記データ移送装置の移送先の接続端子を、前記移動通信端末の収容部に収容装着して、該移送先接続端子が接続された移動通信端末において外部メモリからのデータ読み込み作業を行うことにより、前記データ移送装置の記憶部に記憶された移動通信端末データを、該移動通信端末に移送し、前記移送先接続端子を前記移動通信端末の収容部から離脱した後、前記データ移送装置の記憶部に記憶されている移動通信端末データを消去することを特徴とする。
【００１４】
上記構成からなる本発明にあっては、移送先である移動通信端末の操作によって移動通信端末データを移動通信端末に移送することができ、このため、一般の移動通信端末のユーザであってもデータ移送作業を行うことができる。また、上記データ移送作業を終了した後に、前記移送先接続端子を離脱することで、記憶部に記憶されていた移動通信端末データが消去されるので、この移動通信端末データが他に流出しない利点を有する。
【００１５】
また、本発明に係るデータ移送装置にあっては、移動通信端末の収容部に収容装着可能な移送元の接続端子を備え、前記移送元の接続端子が接続された移動通信端末の操作に応じて、前記記憶部は、該移動通信端末データが記憶できるように設けられている構成を採用することが好ましい。また、本願発明に係るデータ移送方法にあっては、前記データ移送装置の移送元接続端子を、前記移動通信端末の収容部に収容装着して、該移送元の接続端子が接続された移動通信端末において外部メモリへのデータ書き込み作業を行うことにより、前記データ移送装置の記憶部に、前記移動通信端末の移動通信端末データを記憶させる構成を採用することが好ましい。
【００１６】
上記構成を採用することによって、移送元である移動通信端末の操作によって移動通信端末データを抽出する作業を行うことができ、その後、既述の本発明の移送方法によって新たな移動通信端末に移動通信端末を移送することができ、このため、一般の移動通信端末のユーザであってもデータの抽出作業および移送作業を行うことができる。
【００１７】
なお、上記構成を採用した場合にあっては、前記移送先接続端子と移送元接続端子とを、それぞれ同一の接続端子から構成することも可能であり、また、それぞれ別体により構成することも可能である。後者の場合（別体により構成する場合）には、移送先接続端子と移送元接続端子とが、切替手段を介して前記記憶部に接続されるように設けられていることが好ましい。つまり、前記データ移送装置によって移動通信端末から前記記憶部への移動通信端末データの書き込みを行う際、前記データ移送装置の切替手段によって前記移送元の接続端子と前記記憶部との接続状態とし、前記データ移送装置によって記憶部から移動通信端末への移動通信端末データを移送する際には、前記切替手段によって前記移送先の接続端子と前記記憶部との接続状態とすることが好ましい。
【００１８】
また、本願発明に係るデータ移送装置にあっては、記憶部が、処理手段によって、前記移送先の接続端子が離脱された後の移動通信端末データの消去がなされるように設けられており、前記処理手段と前記記憶部との接続状態、および、前記接続端子と前記記憶部との接続状態を、それぞれ切り替える切替手段を備えていることが好ましい。また、本願発明に係るデータ移送方法にあっては、前記移送先の接続端子が離脱された後の移動通信端末データの消去が処理手段によってなされる際に、前記処理手段と前記記憶部との接続状態、および、前記接続端子と前記記憶部との接続状態を、それぞれ切り替える前記データ移送装置の切替手段によって、前記処理手段と前記記憶部との接続状態とする構成を採用することが好ましい。これにより、移送先の接続端子が移動通信端末から離脱された後、切替手段によって処理手段と記憶部との接続状態となり、この状態で処理手段によって記憶部の移動通信端末データを消去することができる。
【００１９】
また、上記構成を採用した場合にあっては、以下の構成を採用することが好ましい。つまり、データ移送装置にあっては、前記接続端子が移動通信端末の収容部に接続または離脱されたことを認識する着脱認識手段を備えており、該着脱認識手段における認識に基づいて、前記切替手段は、前記接続状態を変更するように設けられている構成を採用することが好ましい。また、データ移送方法にあっては、データ移送装置が、接続端子が移動通信端末の収容部に接続または離脱されたことを認識する着脱認識手段を備えており、前記接続端子が移動通信端末の収容部に収容装着されたことを前記着脱認識手段において認識した際には、前記切替手段が、前記接続端子と前記記憶部との接続状態とし、前記接続端子が移動通信端末の収容部から離脱されたことを前記着脱認識手段において認識した際には、前記切替手段が、前記処理手段と前記記憶部との接続状態とする構成を採用することが好ましい。これにより、接続端子が移動通信端末から離脱されると、これを着脱認識手段が認識し、そして、切替手段が処理手段と前記記憶部との接続状態とし、この処理手段によって記憶部の移動通信端末データを消去することができる。
【００２０】
また、前記処理手段として、データ移送装置本体に内蔵した処理手段によって行うこと、または、データ移送装置本体に接続可能な外部端末の処理手段によって行うことも適宜設計変更可能な事項である。なお、後者のように、外部端末の処理手段を利用することによって、データ移送装置のコストダウンを図ることができる利点を有する。
【００２１】
また、前者のように、データ移送装置に処理手段が内臓される場合にはあっては、該処理手段が、前記記憶部に記憶された移動通信端末データを、他の移動通信端末の機種で読み取り可能な移動通信端末データに変更して、この変更した移動通信端末データを前記記憶部に記憶させる処理を行う構成を採用することが好ましい。これにより、機種変更に際して、移動通信端末データを共有できない移動通信端末同士であっても、元の移動通信端末データを前記処理手段によって変更することによって、移送先の移動通信端末で読み取り可能な状態で移送することができる。
【００２２】
また、後者のように、処理手段を外部端末の処理手段から構成する場合には、データ移送装置が、該外部端末に接続可能な外部端末接続部を有し、前記切替手段が、外部端末接続部と前記記憶部との接続状態、および、前記接続端子と前記記憶部との接続状態を、それぞれ切り替えるように設けられていることが好ましい。つまり、該切替手段が、前記移送先の接続端子が離脱された後の移動通信端末データの消去が処理手段によってなされる際に、前記外部端末接続部と前記記憶部との接続状態とすることが好ましい。
【００２３】
また、本願発明に係るデータ移送装置にあっては、記憶部が、データ移送装置本体に着脱可能に装着された外部メモリから構成されており、該データ移送装置本体は、前記外部メモリを収容装着可能な収容部が設けられていることが好ましい。また、本願発明に係るデータ移送方法にあっては、前記データ移送装置が、外部メモリを収容装着可能な収容部を有しており、前記記憶部が、該収容部に装着された外部メモリから構成されていることが好ましい。つまり、近年の技術進化に伴って移動通信端末自体のメモリ容量が増大することが予測されるため、上述のように外部メモリから前記記憶部を構成することによって、この外部メモリの変更によって新機種の移動通信端末のメモリ容量の増大に対応することができるという利点を有する。
【００２４】
また、本願発明に係るデータ移送装置にあっては、データ移送装置本体には、操作者が押圧等の操作可能なリセット手段が設けられており、該リセット手段が操作されると、前記処理手段は、記憶部のデータを消去するように設けられている構成を採用することが好ましい。また、本願発明に係るデータ移送方法にあっては、前記データ移送装置本体に設けられたリセット手段を操作者が押圧等の操作を行った際に、前記処理手段が、前記記憶部のデータを消去する構成を採用することが好ましい。これにより、操作者が移送作業の途中で移送作業を終了したい場合にあっても、リセット手段を操作することにより作業を終了することができ、このため、移動通信端末データが外部に流出することを的確に防止することができる。
【００２５】
また、本願発明に係るデータ移送装置にあっては、データ移送装置本体には、該移送装置本体の電源をオフにするための終了手段が設けられており、該終了手段によってデータ移送装置本体の終了処理がなされる際に、前記処理手段は、記憶部のデータを消去するように設けられている構成を採用することが好ましい。また、本願発明に係るデータ移送方法にあっては、前記データ移送装置本体に設けられた終了手段を操作者が操作すると、前記処理手段は、記憶部のデータを消去し、その後、該データ移送装置本体の電源をオフにする構成を採用することが好ましい。これにより、データ移送装置の電源をオフにする際に記憶部に移動通信端末データが記憶されている場合であっても、この移動通信端末データを消去することができ、このため、移動通信端末データが外部に流出することを的確に防止することができる。
【００２６】
また、本願発明に係るデータ移送装置にあっては、前記処理手段は、一定期間経過ごとに、前記記憶部のデータを消去するように設けられている構成を採用することが好ましい。また、本願発明に係るデータ移送方法にあっては、前記処理手段は、一定期間経過ごとに、前記記憶部のデータを消去する構成を採用することが好ましい。これにより、データ移送作業が途中で終了されて記憶部に移動通信端末データが記憶されている場合であっても、この移動通信端末データを消去することができ、このため、移動通信端末データが外部に流出することを的確に防止することができる。
【発明を実施するための最良の形態】
【００２７】
以下、本願発明の一実施形態を説明する。なお、図１は、本願発明の一実施携帯の携帯電話端末の端末データのデータ移送装置の概略的構成図である。図２は、他実施形態の携帯電話端末の端末データのデータ移送装置の概略的構成図である。
【００２８】
本実施形態のデータ移送装置は、装置本体１００、該装置本体１００に設けられた収容部（図示省略）に着脱可能に収容されたフラッシュメモリからなる記憶部材２００、該記憶部材２００のデータを抽出・送出等の各種処理を行う中央演算処理装置（ＣＰＵ）等からなる処理手段１１０、移送元の携帯電話端末３００のフラッシュメモリ収容部３１０に着脱可能な移送元接続端子１２０、移送先の携帯電話端末３００のフラッシュメモリ収容部３１０に着脱可能な移送先接続端子１３０、移送元の携帯電話端末３００のフラッシュメモリ収容部３１０に着脱可能な移送元接続端子１２０、および、各接続端子１２０，１３０と記憶部材２００との接続状態を切り替える切替手段１４０を備えている。なお、図示例では、移送元接続端子１２０および移送先接続端子１３０を一つずつ記載しているが、これらを複数設けることも適宜設計変更可能である。
【００２９】
また、該装置本体１００は、前記移送元接続端子１２０および前記移送先接続端子１３０が携帯電話端末３００のフラッシュメモリ収容部３１０にそれぞれ着脱されたことを認識する着脱認識手段１５０を備えている。ここで、着脱認識手段１５０は、携帯電話端末３００から前記移送元接続端子１２０および前記移送先接続端子１３０を介して伝達される電圧を監視する電圧監視手段から構成されている。この着脱認識手段１５０は、それぞれ前記処理手段１１０に接続されており、電圧変化に応じて前記移送元接続端子１２０および前記移送先接続端子１３０の着脱に関する情報を処理手段１１０に伝達するように設けられている。
【００３０】
また、前記切替手段１４０は、前記移送元接続端子１２０、移送先接続端子１３０、および、処理手段１１０の何れか一つと、前記記憶部材２００との接続状態を選択するように設けられており、該切替手段１４０における各接続状態の切替は処理手段１１０からの指示により切替手段１４０が行うように設けられている。
【００３１】
また、該処理手段１１０は、前記移送元接続端子１２０が携帯電話端末３００に接続されたことを前記着脱認識手段１５０からの信号によって認識した際に、前記切替手段１４０を、前記記憶部材２００と移送元接続端子１２０とが接続される状態に切り替えるように設けられている。
【００３２】
このように前記記憶部材２００と移送元接続端子１２０とが接続される状態において、移送元の携帯電話端末３００においてデータをフラッシュメモリに記憶する操作がなされると、記憶部材２００には、この移送元の携帯電話端末３００のデータが記憶されることになる。
【００３３】
また、該処理手段１１０は、前記移送元接続端子１２０が携帯電話端末３００から離脱されたことを前記着脱認識手段１５０からの信号によって認識し、また、移送先接続端子１３０が携帯電話端末３００に接続されたことを前記着脱認識手段１５０からの信号によって認識した際に、前記切替手段１４０を、前記記憶部材２００と移送先接続端子１３０とが接続される状態に切り替えるように設けられている。
【００３４】
このように前記記憶部材２００と移送先接続端子１３０とが接続される状態において、移送先の携帯電話端末３００においてデータをフラッシュメモリから読み出す操作がなされると、該記憶部材２００のデータが、この移送先の携帯電話端末３００のデータが記憶されることになる。
【００３５】
そして、処理手段１１０は、前記移送先接続端子１３０が携帯電話端末３００から離脱されたことを前記着脱認識手段１５０からの信号によって認識した際に、前記切替手段１４０を、前記記憶部材２００と処理手段１１０とが接続される状態に切り替えるとともに、前記記憶部材２００のデータを消去するように設けられている。
【００３６】
また、前記処理手段１１０は、前記移送先の携帯電話端末３００へデータを移送する前に、記憶部材２００のデータを、移送先の携帯電話端末３００の機種で読み取り可能なデータに変更して、この変更したデータを前記記憶部材２００に記憶させる処理を行うように設けられている。なお、処理手段１１０のかかる変更処理は、あらかじめ操作者による選択（たとえば装置本体１００に設けた画面における操作等）に応じてなされるように設けることが可能である。なお、この変更作業に際しては、前記処理手段１１０は、前述のように記憶部材２００への移送元の携帯電話端末３００からのデータの記憶が終了した後に、前記切替手段１４０を処理手段１１０と記憶部材２００との接続状態として、該記憶部材２００のデータを処理手段１１０のメモリに読み込み、このメモリのデータを変更して、変更したデータを前記記憶部材２００に記憶させるような処理を行うように設けられている。
【００３７】
また、該装置本体１００には、操作者が押圧等の操作可能なリセット手段１６０が設けられており、該リセット手段１６０が操作されると、前記処理手段１１０は、記憶部材２００のデータを消去するように設けられている。
【００３８】
また、該装置本体１００には、装置本体１００の電源をオフにするための終了手段１７０が設けられており、該終了手段１７０によって装置本体１００が終了処理がなされる際に、前記処理手段１１０は、記憶部材２００のデータを消去するように設けられている。
【００３９】
また、前記処理手段１１０は、一定期間（たとえば１５分）接続端子１２０，１３０の着脱が認識されない場合には、記憶部材２００のデータを消去するように設けられている。
【００４０】
上述のように記憶部材２００のデータは、種々の方法で消去されるので、不用意に記憶部材２００にデータが残存した場合であっても、該データが外部に流出することを防止することができる。
【００４１】
なお、本願発明は上記実施形態の構成に限定されるものではなく、本願発明の意図する範囲内において適宜設計変更可能である。
【００４２】
つまり、上記実施形態においては、処理手段１１０が装置本体１００に内蔵されているものについて説明したが、本願発明はこれに限定されるものではなく、たとえば、図２に示すように、外部のコンピュータ４００の処理手段によって上記実施形態の処理手段１１０と同様の処理を行うように設けるものも本願発明の意図する範囲内である。
【００４３】
この図２に示すデータ移送装置にあっては、外部のコンピュータ４００に接続可能なＵＳＢポート等の外部接続部１８０を備えており、前記切替手段１４０が、前記記憶部材２００と外部接続部１８０との接続を切り替え可能に設けられている。
【００４４】
また、上記実施形態においては、移送元接続端子１２０と移送先接続端子１３０とがそれぞれ設けられるものであったが、一つの接続端子によって前記移送元接続端と移送先接続端子との機能を持たせるものも本願発明の意図する範囲内である。なお、この場合には、接続端子が着脱された際に前記記憶部材のデータ容量を確認して、接続端子が着けられた際のデータ容量とその接続端子が離脱された際のデータ容量とが同一である場合には、記憶部材のデータが移送先の携帯電話端末に移送されたと判断して、処理手段が記憶部材のデータを消去するように設けることも可能である。
【００４５】
さらに、上記実施形態においては、前記移送先接続端子１３０が携帯電話端末３００から離脱されると記憶部材２００のデータが消去されるものについて説明したが、たとえば移送先接続端子１３０が離脱された際にデータ移送装置本体の画面等において記憶部材のデータを消去する旨の確認画面を操作者に示して、操作者が確認操作を行うことにより記憶部材のデータを消去するように設けることも本願発明の意図する範囲内である。
【図面の簡単な説明】
【００４６】
【図１】本願発明の一実施携帯の携帯電話端末の端末データのデータ移送装置の概略的構成図である。
【図２】本願発明の他の実施形態の携帯電話端末の端末データのデータ移送装置の概略的構成図である。
【符号の説明】
【００４７】
１００  装置本体
１１０  処理手段
１２０  移送元接続端子
１３０  移送先接続端子
１４０  切替手段
１５０  着脱認識手段
１６０  リセット手段
１７０  終了手段
１８０  外部接続部
２００  記憶部材
３００  携帯電話端末
３１０  フラッシュメモリ収容部
４００  外部のコンピュータ
【図１】
2007228068.tif 000003
【図２】
2007228068.tif 000004